(57)【要約】【課題】プロジェクタ装置本体を容易に机等の設置面に固定したり取り外すことができ、また、使い勝手に優れた固定手段付きプロジェクタ装置の提供を目的とする。【解決手段】固定手段付きプロジェクタ装置１は、プロジェクタ装置本体２と、吸盤３１を用いた固定手段３と、向き変更手段４と、吸盤３１の中央突起部３２を昇降させる昇降手段５とからなっている。また、モータ駆動される向き変更手段を設けたり、吸盤３１の代わりに磁石を用いる構成としてもよい。【選択図】      図１
2004177699.tif 000002
【特許請求の範囲】
【請求項１】
プロジェクタ装置本体を設置面に着脱自在に固定するための固定手段を備えたことを特徴とする固定手段付きプロジェクタ装置。
【請求項２】
前記プロジェクタ装置本体の向きを変更させるための向き変更手段を備えたことを特徴とする請求項１記載の固定手段付きプロジェクタ装置。
【請求項３】
前記固定手段として、吸盤を用いたことを特徴とする請求項１又は２記載の固定手段付きプロジェクタ装置。
【請求項４】
前記吸盤のほぼ中央部を持ち上げて吸着力を発生させ、かつ、前記中央部を降下させて吸着力を消滅させる昇降手段を有することを特徴とする請求項３記載の固定手段付きプロジェクタ装置。
【請求項５】
前記固定手段として、磁石及び／又は電磁石を用いたことを特徴とする請求項１〜４のいずれかに記載の固定手段付きプロジェクタ装置。
【請求項６】
前記向き変更手段が、駆動部を備えたことを特徴とする請求項２〜５のいずれかに記載の固定手段付きプロジェクタ装置。
【発明の詳細な説明】
【０００１】
【発明の属する技術分野】
本発明は、固定手段付きプロジェクタ装置に関する。
【０００２】
【従来の技術】
近年、プロジェクタ装置は、小型軽量化が進み容易に持ち運びできるようになってきた。これにより、営業マン等が、ノート型パーソナルコンピュータとともにプロジェクタ装置を持ち運び、客先でセールスプレゼンテーションなどを行っている。
【０００３】
従来、プロジェクタ装置は、下面が机や台などの設置面と直接接触しないように、下面の四隅に脚が突設されている。一般的に、この脚の先端には、すべり防止及び設置面を保護する目的でウレタンゴム等の弾性体が設けられている。
上記技術は、プロジェクタ装置に限定されるものではなく、卓上に載置される計測装置などの小型の装置において、通常用いられる技術である。
【０００４】
また、プロジェクタ装置等を設置する技術として、ビデオカメラの支持部を着脱自在に取り付ける取付台と、この取付台に設けられ、前記取付台に前記ビデオカメラ支持部を取り付けたとき、前記ビデオカメラ支持部の転倒防止を行う転倒防止機構とを備えた書画カメラ装置の技術がある（例えば、特許文献１参照。）。
【０００５】
【特許文献１】
特開２００１−２１１３５０号公報  （第１項  特許請求の範囲）
【０００６】
ところで、上述したように、営業マン等がセールスプレゼンテーションを行う場合、営業マンは、机や台などを利用して迅速にプロジェクタ装置をセットアップし、持ち込んだプロジェクタ装置を有効に活用して、顧客から好感を得られるようにプレゼンテーションを行う必要がある。
【０００７】
【発明が解決しようとする課題】
しかしながら、上記のプレゼンテーションを行う場合、広さが十分でない机上等にプロジェクタ装置とノート型パーソナルコンピュータを載置してケーブル接続を行い、壁面やホワイトボードをスクリーンとして使用するケースが少なくない。このため、プレゼンテーション中に不意にプロジェクタ装置を動かしてしまったり、あるいは、パーソナルコンピュータとプロジェクタ装置の接続に使用するケーブルが太くて硬い場合には、パーソナルコンピュータの操作等による動きが、ケーブルを介してプロジェクタ装置に伝わりプロジェクタ装置が動いてしまい、画像が大きくゆれたりスクリーンから外れてしまったりして、プレゼンテーションの効果を阻害するといった問題があった。
また、今後、さらにプロジェクタ装置が小型軽量化されると、上記問題がより深刻になることが危惧される。
【０００８】
本発明は、上述した従来の技術が有する問題を解決するために提案されたものであり、プロジェクタ装置本体を容易に机等の設置面に固定したり取り外すことができ、また、使い勝手に優れた固定手段付きプロジェクタ装置の提供を目的とする。
【０００９】
【課題を解決するための手段】
上記目的を達成するため本発明の固定手段付きプロジェクタ装置は、プロジェクタ装置本体を設置面に着脱自在に固定するための固定手段を備えた構成としてある。
このようにすると、プロジェクタ装置本体が設置面に固定されるので、画像がぶれたりスクリーンから外れてしまうといった不具合を防止することができる。
【００１０】
また、本発明の固定手段付きプロジェクタ装置は、前記プロジェクタ装置本体の向きを変更させるための向き変更手段を備えた構成としてある。
このようにすると、スクリーンやその代用物の見やすい位置に画像を容易に映し出すことができる。
【００１１】
また、本発明の固定手段付きプロジェクタ装置は、前記固定手段として、吸盤を用いた構成としてある。
このようにすると、固定手段の構造を単純化することができ、製造費用のコストダウンを図ることができる。
【００１２】
また、本発明の固定手段付きプロジェクタ装置は、前記吸盤のほぼ中央部を持ち上げて吸着力を発生させ、かつ、前記中央部を降下させて吸着力を消滅させる昇降手段を有する構成としてある。
このようにすると、プロジェクタ装置本体を容易に固定することができるとともに取り外すこともできる。
【００１３】
また、本発明の固定手段付きプロジェクタ装置は、前記固定手段として、磁石及び／又は電磁石を用いた構成としてある。
このようにすると、載置面が磁性材料である場合に、プロジェクタ装置本体を容易に固定することができる。
【００１４】
また、本発明の固定手段付きプロジェクタ装置は、前記向き変更手段が、駆動部を備えた構成としてある。
このようにすると、パーソナルコンピュータなどから外部信号にもとづいて、プロジェクタ装置の画像を移動させることができる。
【００１５】
【発明の実施の形態】
次に、本発明の固定手段付きプロジェクタ装置の好ましい実施形態について、図面を参照して説明する。
【００１６】
［第一実施形態］
図１は、第一実施形態にかかる固定手段付きプロジェクタ装置の固定する前の状態を説明するための概略正面図を示している。
また、図２は、第一実施形態にかかる固定手段付きプロジェクタ装置の固定する前の状態を説明するための概略側面図を示している。
同図において、第一実施形態にかかる固定手段付きプロジェクタ装置１（適宜、プロジェクタ装置１と略称する。）は、プロジェクタ装置本体２と、吸盤３１を用いた固定手段３と、向き変更手段４と、吸盤３１のほぼ中央部を昇降させる昇降手段５からなっている。
【００１７】
プロジェクタ装置本体２は、横置きされた四角柱状の装置であり、正面に焦点を調節するためのレンズ部２１が突設されている。また、下面には、向き変更手段４と連結するためのねじ穴２２が穿設してあり、背面からは、図示してないが、駆動用電源ケーブルと制御用ケーブルが引き出されている。
なお、プロジェクタ装置本体２は、上記形状及び構造に限定されるものではない。
【００１８】
固定手段３は、プロジェクタ装置本体２を机や台などの設置面９に着脱自在に固定する構造としてあり、単に設置面９に押し付けると吸着力を発揮する通常の吸盤とは異なり、吸盤３１の中央部を設置面９から持ち上げることにより、吸着力を発揮する構造としてある。
この吸盤３１は、ほぼ円板状の形状としてあり、円板のほぼ中央部に、水平方向に貫通孔３３が形成された中央突起部３２が突設され、さらに、周縁部には、円環状に縁突起部３４が突設されている。
【００１９】
上記中央突起部３２を昇降させる昇降手段５は、ケーシング５１と、鉤型軸５５と、レバー５７とからなっている。
ケーシング５１は、上板５２及び側板５３からなる中空円筒状のケーシングであり、側板５３の端面には縁突起部３４が嵌合される凹部５４が形成されており、縁突起部３４を係止する構成としてある。また、正面から見て左側の側面には、鉤型軸５５の軸受けとして、鉤型軸５５が挿入される軸受用孔５６が穿設してある。
【００２０】
鉤型軸５５は、軸受用孔５６に挿入される側の端部に四角柱５９が突設してあり、軸受用孔５６に挿入され、ケーシング５１から突出した四角柱５９にレバー５７が挿入され六角穴付きの止めねじ５８により固定される。また、軸受用孔５６に挿入される側の反対側の端部は、吸盤３１の中央突起部３２の貫通孔３３に挿入される。
【００２１】
向き変更手段４は、プロジェクタ装置本体２のねじ穴２２に螺着される、頭部に被挟持部４２が形成された連結ボルト４１と、ケーシング５１の上板５２に突設され、被挟持部４２を挟持する挟持部４３と、この挟持部４３の挟持する力を調節するノブ４４とからなっている。
【００２２】
上記被挟持部４２は、球の上方と下方を除去した凸状曲面を有する形状としてある。
また、挟持部４３は、ほぼ円筒状の形状としてあり、内側に被挟持部４２の凸状曲面と対応する凹状曲面が形成されている。さらに、挟持部４３は、前方部分のみが上板５２と連結してあり、後方部分が二つ割された構造となっており、弾性変形することにより被挟持部４２が嵌入される。
また、ノブ４４は、図２に示すように、先端にねじ４５が形成されており、挟持部４３の二つ割された後方の一方の端部４６に螺着される構成としてあり、ノブ４４を締め付けると、二つ割された後方の端部４６どうしが接近し、挟持部４３が被挟持部４２を固定する。
【００２３】
次に、上記構成のプロジェクタ装置１を設置面９に固定した状態について、図面を参照して説明する。
図３は、第一実施形態にかかる固定手段付きプロジェクタ装置の固定した後の状態を説明するための概略正面図を示している。
また、図４は、第一実施形態にかかる固定手段付きプロジェクタ装置の固定した後の状態を説明するための概略側面図を示している。
同図において、プロジェクタ装置１は、吸盤３１が設置面９に隙間ができないように押し付けられた状態で、レバー５７が反時計方向に回動させられる。
【００２４】
この際、鉤型軸５５の中央突起部３２に挿入された軸部の軸心は、図４に示すように、Ａ点からＢ点（Ａ点から９０度反時計方向に回転した点）を経由してＣ点まで回動する。
レバー５７が回動させられると、吸盤３１は、周縁部が設置面９と密着した状態で、中央部が円錐状に持ち上げられる。そして、吸盤３１と設置面９の間の空間が真空領域３５となり、吸盤３１のほぼ上面に相当する面積に大気圧が作用し、吸盤３１を設置面９に固定する。
また、レバー５７は、Ｂ点を経由してＣ点まで移動しているので、中央突起部３２により反時計廻り方向に張力を受けた状態で停止する。
【００２５】
次に、操作者は、ノブ４４を緩め、挟持部４３が被挟持部４２を固定している状態を解除し、プロジェクタ装置本体２の向きをスクリーン（図示せず）に向けて調整する。この際、プロジェクタ装置１は、被挟持部４２の球面の一部からなる凸状曲面と、この凸状曲面に対応する挟持部４３の凹状曲面とにより、プロジェクタ装置本体２の向きをいずれの方向にも調整することができる。そして、ノブ４４を締め付けると被挟持部４２が挟持部４３により固定され、プロジェクタ装置本体２を希望する向きに固定することができる。
【００２６】
また、吸盤３１による設置面９への固定状態を解除する際は、レバー５７を時計方向に回転させると、上記軸心がＣ点からＢ点を経由してＡ点にもどり、吸盤３１と設置面９の間に形成されていた真空領域３５が消滅するので、吸盤３１を設置面９から容易に取り外すことができる。
【００２７】
このように、本実施形態のプロジェクタ装置１は、プロジェクタ装置本体２を設置面に容易に固定することができるので、たとえば、プロジェクタ装置本体２から引き出されたケーブルが引っ張られたりしても、プロジェクタ装置本体２の固定状態を維持することができ、画像がぶれるといった不具合を防止することができる。
【００２８】
また、吸盤３１の中央突起部３２を昇降させる昇降手段５により、吸着力を発生させているので、特に、プロジェクタ装置１を設置面９から容易に取り外すことができる。
さらに、向き変更手段４を設けることにより、プロジェクタ装置本体２の向きを自在かつ容易に調整することができ、プロジェクタ装置１をセットアップする時間を短縮することができる。
【００２９】
［第二実施形態］
図５は、第二実施形態にかかる固定手段付きプロジェクタ装置の固定する前の状態を説明するための概略側面図を示している。
同図において、第二実施形態にかかる固定手段付きプロジェクタ装置１ａ（適宜、プロジェクタ装置１ａと略称する。）は、固定手段３ａが、吸盤３１の代わりに、ケーシング５１の下面に取り付けられた磁性材料からなる円板７１と、鉤型軸５５ａの中央側の端部に取り付けられた磁石７２とを備えた構成としてある。
【００３０】
プロジェクタ装置１ａは、レバー５７が立っている状態では、磁石７２が円板７１と接触していないので、円板７１が磁化されず、磁性体の設置面９に固定されない。これに対し、レバー５７を時計方向に回動させると、磁石７２が時計方向に回動し円板７１と接触して円板７１を磁化するので、磁性体の設置面９に固定される。
また、レバー５７を反時計方向に回動させると、磁石７２が反時計方向に回動し円板７１から離れるので、円板７１の磁力がなくなり、プロジェクタ装置１ａを設置面９から容易に取り外すことができる。
その他の構造は、第一実施形態のプロジェクタ装置１とほぼ同様としてある。
【００３１】
このように、本実施形態のプロジェクタ装置１ａは、固定手段として、磁石を使用することにより、磁性材料からなる設置面９に容易にプロジェクタ装置１ａを容易に固定するとともに取り外すことができる。
なお、磁石７２の代わりに、電磁石（図示せず）を用いてもよく、この場合には、電磁石への電源をオンオフ制御することにより、円板７１を磁化したりすることができるので、レバー５７や鉤型軸５５ａを設けなくてもよい。
【００３２】
また、図示してないが、第一実施形態のプロジェクタ装置１におけるケーシング５１の側板５３に電磁石を配設した構成としてもよい。このようにすると、設置面９に凹凸があり吸盤３１を使用することができない場合であっても、設置面９が磁性材料からなるときは、電磁石を使用してプロジェクタ装置を着脱自在に固定することができる。
また、固定手段は、上述した吸盤や磁石に限定するものではなく、たとえば、机を挟むように固定するクランプなどを使用してもよい。
【００３３】
［第三実施形態］
図６は、第三実施形態にかかる固定手段付きプロジェクタ装置の腰部の構造を説明するための概略正面図を示している。
同図において、第三実施形態にかかる固定手段付きプロジェクタ装置１ｂ（適宜、プロジェクタ装置１ｂと略称する。）は、向き変更手段４ｂが、駆動部として周方向用モータ８１と高さ方向用モータ８２を備えた構成としてある。
【００３４】
ケーシング５１の上面には、周方向用平歯車８４が設けられており、ギア付きの周方向用モータ８１により周方向に回転する。すなわち、プロジェクタ装置２の周方向の向きを変更させることができる。また、この平歯車８４の上面には、ギア付きの高さ方向用モータ８２と軸受け８３が設けられている。
連結ボルト４１ｂの頭部には、側面から見るとほぼ半円状の高さ方向用平歯車８５が設けられており、この高さ方向用平歯車８５は、高さ方向に回動自在に軸受け８３により軸支された構造となっている。そして、高さ方向用モータ８２により平歯車８５が回動すると、プロジェクタ装置２の高さ方向の向きを変更させることができる。
【００３５】
各モータ８１，８２は、プロジェクタ装置本体２から出力される駆動信号を入力して駆動する。
プロジェクタ装置本体２は、操作スイッチ（図示せず）からの入力信号及び／又はパーソナルコンピュータから出力された制御信号にもとづいて上記駆動信号を各モータ８１，８２に出力する。
また、高さ方向用平歯車８５や周方向用平歯車８４などを覆うカバー８６が設けられている。
その他の構成は、第一実施形態にかかる固定手段付きプロジェクタ装置１とほぼ同様としてある。
【００３６】
このように、本実施形態のプロジェクタ装置１ｂは、各モータ８１，８２からなる駆動部によって、プロジェクタ装置本体２の向きを容易かつ精度よく調整することができる。
また、プロジェクタ装置１ｂとパーソナルコンピュータを離して設置し、操作者がパーソナルコンピュータを操作している場合には、プロジェクタ装置本体２の向きをパーソナルコンピュータから遠隔操作することができ、使い勝手を向上させることができる。
【００３７】
以上、本発明の好適な実施形態について説明してきたが、本発明は上記の実施形態によりなんら限定されるものではなく、本発明の適用範囲内で種々に変更することが可能である。
たとえば、固定手段３は、上記吸盤３１を用いた構成に限定されるものではなく、たとえば、設置面９に押し付けるだけで吸着固定される通常の吸盤を用いてもよい。
また、昇降手段５も上記構成に限定されるものではなく、吸盤３１のほぼ中央部を昇降させる構成であればよい。
【００３８】
【発明の効果】
以上説明したように本発明の固定手段付きプロジェクタ装置によれば、プロジェクタ装置本体が設置面に固定されるので、画像がぶれたりスクリーンから外れてしまうといった不具合を防止することができる。
また、向き変更手段により、スクリーンやその代用物の見やすい位置に画像を容易に映し出すことができる。
また、吸盤の中央部を昇降させる昇降手段を設けることにより、プロジェクタ装置本体を容易に固定することができるとともに取り外すこともできる。
【００３９】
また、本発明の固定手段付きプロジェクタ装置は、向き変更手段に駆動部を設けることにより、パーソナルコンピュータなどからの制御信号にもとづいて、プロジェクタ装置の画像を移動させることができ、プロジェクタ装置の使い勝手を向上させることができる。
【図面の簡単な説明】
【図１】図１は、第一実施形態にかかる固定手段付きプロジェクタ装置の固定する前の状態を説明するための概略正面図を示している。
【図２】図２は、第一実施形態にかかる固定手段付きプロジェクタ装置の固定する前の状態を説明するための概略側面図を示している。
【図３】図３は、第一実施形態にかかる固定手段付きプロジェクタ装置の固定した後の状態を説明するための概略正面図を示している。
【図４】図４は、第一実施形態にかかる固定手段付きプロジェクタ装置の固定した後の状態を説明するための概略側面図を示している。
【図５】図５は、第二実施形態にかかる固定手段付きプロジェクタ装置の固定する前の状態を説明するための概略側面図を示している。
【図６】図６は、第三実施形態にかかる固定手段付きプロジェクタ装置の腰部の構造を説明するための概略正面図を示している。
【符号の説明】
１，１ａ  ，１ｂ固定手段付きプロジェクタ装置（プロジェクタ装置）
２  プロジェクタ装置本体
３，３ａ  固定手段
４，４ｂ  向き変更手段
５  昇降手段
９  設置面
２１  レンズ部
２２  ねじ穴
３１  吸盤
３２  中央突起部
３３  貫通孔
３４  縁突起部
３５  真空領域
４１，４１ｂ  連結ボルト
４２  被挟持部
４３  挟持部
４４  ノブ
４５  ねじ
４６  端部
５１  ケーシング
５２  上板
５３  側板
５４  凹部
５５，５５ａ  鉤型軸
５６  軸受用孔
５７  レバー
５８  止めねじ
５９  四角柱
７１  円板
７２  磁石
８１  周方向用モータ
８２  高さ方向用モータ
８３  軸受け
８４  周方向用平歯車
８５  高さ方向用平歯車
８６  カバー
【図１】
2004177699.tif 000003
【図２】
2004177699.tif 000004
【図３】
2004177699.tif 000005
【図４】
2004177699.tif 000006
【図５】
2004177699.tif 000007
【図６】
2004177699.tif 000008